(57)【要約】【課題】信頼性の高い無停電電源システムを提供する。【解決手段】  ２以上の常用無停電電源装置と、前記２以上の常用無停電電源装置に前記予備電源として電力を供給する共通予備無停電電源装置と、前記常用無停電電源装置に設けた記第１の機械式スイッチ、前記バイパス入力切替部及び前記バイパス出力切替部を制御する制御部と、を備え、前記常用無停電電源装置の第１の状態信号、予め定められた前記負荷の優先度、前記共通予備無停電電源装置の第２の状態信号および前記共通予備無停電電源装置の出力電圧値に基づいて、前記第１の機械式スイッチ、前記バイパス入力切替部及び前記バイパス出力切替部を制御する無停電電源システムとする。 【選択図】図１
2020039236.tif 000002
【特許請求の範囲】
【請求項１】
商用電源から供給される交流電力を直流電力に変換するコンバータ部と、
前記直流電力を交流電力に変換し負荷に出力するインバータ部と、
前記インバータ部と前記負荷の間に介挿された第１の機械式スイッチと、
前記直流電力を蓄電し、前記商用電源が停電時には蓄積した前記直流電力を前記インバータ部に供給するバッテリ部と、
前記商用電源から供給される交流電力を負荷へバイパス供給するバイパス回路部と、
前記負荷への接続を前記インバータ部及び前記バイパス回路部との間で切り替えるように設けられたバイパス出力切替部と、
前記コンバータ部の入力部への接続を前記商用電源及び予備電源との間で切り替えるように設けられたバイパス入力切替部と、
を備える２以上の常用無停電電源装置と、
前記２以上の常用無停電電源装置に前記予備電源として電力を供給する共通予備無停電電源装置と、
前記第１の機械式スイッチ、前記バイパス入力切替部及び前記バイパス出力切替部を制御する制御部と、
を備え、
前記常用無停電電源装置の第１の状態信号、予め定められた前記負荷の優先度、前記共通予備無停電電源装置の第２の状態信号および前記共通予備無停電電源装置の出力電圧値に基づいて、前記第１の機械式スイッチ、前記バイパス入力切替部及び前記バイパス出力切替部を制御すること、
を特徴とする無停電電源システム。
【請求項２】
前記制御部は、
前記２以上の常用無停電電源装置の少なくとも１つの常用無停電電源装置に異常が発生した場合、
前記異常が発生した常用無停電電源装置に接続された負荷に前記共通予備無停電電源装置から電力が供給されるように、前記第１の機械式スイッチ、前記バイパス入力切替部及び前記バイパス出力切替部を制御すること、
を特徴とする請求項１記載の無停電電源システム。
【請求項３】
前記制御部は、
前記２以上の常用無停電電源装置で少なくとも１つの常用無停電電源装置に異常が発生した場合、
前記バイパス出力切替部を前記バイパス回路部へ切り替えて、
前記第１の機械式スイッチをオフするように制御すること、
を特徴とする請求項２記載の無停電電源システム。
【請求項４】
前記バイパス入力切替部は、
前記共通予備無停電電源装置から供給される電力が所定値から不足しているか否かを検出する不足電圧検出部を更に備え、
前記制御部は、
前記共通予備無停電電源装置から供給される電力が不足した場合、
前記異常が発生した常用無停電電源装置のうち、優先度が低い負荷に接続される常用無停電電源装置の前記バイパス入力切替部を前記共通予備無停電電源装置から前記商用電源に切り替えるように制御すること、
を特徴とする請求項１または２に記載の無停電電源システム。
【請求項５】
前記バイパス入力切替部は、
前記コンバータ部の入力部への接続を前記商用電源と前記共通予備無停電電源装置との間で選択的に切り替えるように構成された第２の機械式スイッチ部と、
前記第２の機械式スイッチと並列に接続され、前記商用電源の電力をオンオフする第１の双方向スイッチ部と、
前記第２の機械式スイッチと並列に接続され、前記共通予備無停電電源装置の電力をオンオフする第２の双方向スイッチと、
を含み、
前記制御部は、
前記コンバータ部の入力部への接続を前記商用電源及び前記共通予備無停電電源装置との間で切り替える場合、
前記第２の機械式スイッチをオフし、
前記オフのタイミングから所定時間内に、第１の双方向スイッチ部または第２の双方向スイッチ部をオンするように制御すること、
を特徴とする請求項１から４のいずれか一項に記載の無停電電源システム。
【発明の詳細な説明】
【技術分野】
【０００１】
本発明は、複数の常用無停電電源装置と該複数の常用無停電電源装置に電力を供給する共通予備無停電電源装置を備える無停電電源システムに関する。
【背景技術】
【０００２】
高い信頼性が要求される無停電電源システムとして、複数の常用無停電電源装置を組み合わせた冗長方式の無停電電源システムが提案されている（例えば、特許文献１、２、図７）。
【先行技術文献】
【特許文献】
【０００３】
【特許文献１】特開２００８−３１２３７１号公報
【特許文献２】特開２０１０−１４８２９７号公報
【発明の概要】
【発明が解決しようとする課題】
【０００４】
しかしながら、異常が発生した常用無停電電源装置に対して共通予備無停電電源装置が電力を供給している場合において、そこからさらに重要度がより高い負荷に給電している常用無停電電源装置に異常が発生すると、共通予備無停電電源装置の供給可能な電力の容量を超えてしまうことがあるため、重要度がより高い負荷に電力を供給できなくなってしまう場合がある。
【課題を解決するための手段】
【０００５】
上記課題を解決するために、本発明は以下の技術的特徴を有する。
【０００６】
商用電源から供給される交流電力を直流電力に変換するコンバータ部と、前記直流電力を交流電力に変換し負荷に出力するインバータ部と、前記インバータ部と前記負荷の間に介挿された第１の機械式スイッチと、前記直流電力を蓄電し、前記商用電源が停電時には蓄積した前記直流電力を前記インバータ部に供給するバッテリ部と、前記商用電源から供給される交流電力を負荷へバイパス供給するバイパス回路部と、前記負荷への接続を前記インバータ部及び前記バイパス回路部との間で切り替えるように設けられたバイパス出力切替部と、前記コンバータ部の入力部への接続を前記商用電源及び予備電源との間で切り替えるように設けられたバイパス入力切替部と、を備える２以上の常用無停電電源装置と、前記２以上の常用無停電電源装置に前記予備電源として電力を供給する共通予備無停電電源装置と、前記第１の機械式スイッチ、前記バイパス入力切替部及び前記バイパス出力切替部を制御する制御部と、を備え、前記常用無停電電源装置の第１の状態信号、予め定められた前記負荷の優先度、前記共通予備無停電電源装置の第２の状態信号および前記共通予備無停電電源装置の出力電圧値に基づいて、前記第１の機械式スイッチ、前記バイパス入力切替部及び前記バイパス出力切替部を制御すること、を特徴とする無停電電源システムである。
【発明の効果】
【０００７】
上記のような構成とすることで、無停電電源システムの信頼性を向上させることができる。
【図面の簡単な説明】
【０００８】
【図１】本発明の第１の実施形態を説明するための無停電電源システム２００の概略構成である。
【図２】本発明の第１の実施形態において、異常が発生した常用無停電電源装置に共通予備無停電電源装置から予備電力が供給されているときの構成である。
【図３】本発明の第１の実施形態において、異常が発生した常用無停電電源装置に共通予備無停電電源装置から予備電力が供給されているときの構成である。
【図４】本発明の第１の実施形態において、異常が発生した常用無停電電源装置に共通予備無停電電源装置から予備電力が供給されているときの構成である。
【図５】本発明の第１の実施形態において、異常が発生した常用無停電電源装置に共通予備無停電電源装置から予備電力が供給されているときの構成である。
【図６】本発明の第２の実施形態を説明するための無停電電源システム３００の概略構成である。
【図７】従来の無停電電源システム１００の構成を示した図である。
【発明を実施するための形態】
【０００９】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１０】
本発明の実施形態による無停電電源システムの構成を図７に示した従来の無停電電源システム１００と比較して説明する。図１に示した本発明の実施形態による無停電電源システム２００と同様の機能、略相当する箇所は、同じ番号を付与している。
【００１１】
図７に示す無停電電源システム１００は、商用電源２から負荷３へ電力を供給する複数の常用無停電電源装置１Ａ〜１Ｃ（以下、常用ＵＰＳ（Ｕｎｉｎｔｅｒｒｕｐｔｉｂｌｅ  Ｐｏｗｅｒ  Ｓｕｐｐｌｙ））、該複数の常用ＵＰＳに電力を供給する共通予備無停電電源装置（以下、共通予備ＵＰＳ）１Ｄ、制御部５を備えている。
【００１２】
常用ＵＰＳ１Ａ〜１Ｃと共通予備ＵＰＳ１Ｄとの間には、バイパス入力切替部４が設けられている。バイパス入力切替部４は、共通予備側端子４２、商用電源側端子４３を含む機械式スイッチと、不足電圧検出部４５を備える。
【００１３】
常用ＵＰＳ１Ａ〜１Ｃは、コンバータ部１１、インバータ部１２、バッテリ部１３、バイパス回路部１４、バイパススイッチ部１５、コンタクタ１６、コンタクタ１７を備える。常用ＵＰＳ１Ａ〜１Ｃは、電力を供給する負荷３の重要度に応じて優先度が予め設定されていてもよい。なお、優先度は、図中に高、中、低と示す。
【００１４】
共通予備ＵＰＳ１Ｄは、常用ＵＰＳ１Ａ〜１Ｃとほぼ同様の構成である。共通予備ＵＰＳ１Ｄの容量は、常用ＵＰＳ１Ａ〜１Ｃの容量の合計よりも小さく、１台の容量以上であってよい。
【００１５】
制御部５は、複数の常用ＵＰＳの故障部位信号、運転／停止信号、バイパス給電信号等の第１の状態信号、共通予備ＵＰＳの出力容量、供給可能な並列台数、現状供給している並列台数等の第２の状態信号を取得し、バイパス入力切替部４を制御する。第１及び第２の状態信号、故障部位信号は、常用ＵＰＳ及び共通予備ＵＰＳに設けられた図示しない電圧検出部や電流検出部によって取得され制御部５に送信されてもよい。または第１及び第２の状態信号、故障部位信号は、コンバータ部１１、インバータ部１２及びバッテリ部１３を制御する図示しない常用ＵＰＳに各々設けられた制御装置から送信されてもよい。該制御装置は、コンバータ部１１、インバータ部１２に含まれる電力変換装置の半導体スイッチング素子のオンオフの指令、バイパススイッチ部のオンオフの指令、コンタクタ１６及びコンタクタ１７への開閉のための指令を出力する。なお。制御装置は、制御部５にまとめて設けられてもよい。
【００１６】
コンバータ部１１は、半導体スイッチング素子を含む電力変換回路を含み、該半導体スイッチング素子がオンオフすることにより交流電力を直流電力に変換する。半導体スイッチング素子は、ＩＧＢＴ（Ｉｎｓｕｌａｔｅｄ  Ｇａｔｅ  Ｂｉｐｏｌａｒ  Ｔｒａｎｓｉｓｔｏｒ）またはバイポーラトランジスタ、その他の種類の半導体スイッチング素子でもよい。
【００１７】
また、ワイドバンドギャップ半導体スイッチング素子でよい。ワイドバンドギャップ半導体スイッチング素子は、シリコン半導体スイッチング素子よりもバンドギャップが大きい半導体スイッチング素子であり、例えばＳｉＣ、ＧａＮ、ダイヤモンド、窒化ガリウム系材料、酸化ガリウム系材料、ＡｌＮ、ＡｌＧａＮ、または、ＺｎＯなどを含む半導体スイッチング素子である。
【００１８】
インバータ部１２は、半導体スイッチング素子を含む電力変換回路を含み、該半導体スイッチ素子をオンオフすることにより直流電力を交流電力に変換する。半導体スイッチング素子は、コンバータ部１１と同様の素子を用いてもよい。
【００１９】
バイパススイッチ部１５は、機械式スイッチであるコンタクタ１５２と、バイパス半導体スイッチ部１５１を備える。バイパス半導体スイッチ部１５１は、サイリスタを含む双方向スイッチである
【００２０】
コンバータ部１１は、コンバータ入力端子１８、コンタクタ１６を介して商用電源１に接続され、出力側がインバータ部１２に接続されている。
【００２１】
インバータ部１２は、出力側がコンタクタ１７、出力端子１９を介して負荷３に接続されている。
【００２２】
バイパス回路１４は、一端がバイパス入力端子２０に接続され、他端がバイパススイッチ部１５を介してインバータ部１２と負荷３の間に接続されている。
【００２３】
バッテリ部１３は、コンバータ部１１とインバータ部１２の間に接続されている。
【００２４】
バイパス入力切替部４は、入力側が共通予備ＵＰＳの出力と商用電源２の出力に接続され、各々共通予備側端子４２と商用電源側端子４３に接続されている。またバイパス入力切替部４は、出力側がバイパス入力端子２０を介してバイパス回路部１４に接続されている。
【００２５】
共通予備ＵＰＳ１Ｄは、商用電源２Ｄの出力が、コンバータ入力端子１８Ｄとバイパス入力端子２０Ｄに接続している。
【００２６】
図１は、本発明の実施形態による無停電電源システム２００を示している。無停電電源システム２００は、無停電電源システム１００と同様に商用電源２から負荷３へ電力を供給する複数の常用ＵＰＳ１Ａ〜１Ｃ、該複数の常用ＵＰＳに電力を供給する共通予備ＵＰＳ１Ｄ、制御部５を備える。常用ＵＰＳ１Ａ〜１Ｃ、共通予備ＵＰＳ１Ｄ、制御部５の構成についても無停電電源システム１００と同様である。
【００２７】
常用ＵＰＳ１Ａ〜１Ｃと共通予備ＵＰＳ１Ｄとの間には、バイパス入力切替部４が設けられている。バイパス入力切替部４は、共通予備側端子４２、商用電源側端子４３を含む機械式スイッチと、不足電圧検出部４５、さらに共通予備側半導体スイッチ部４１、商用電源側半導体スイッチ部４４を備える。
【００２８】
共通予備側半導体スイッチ部４１、商用電源側半導体スイッチ部４４は、サイリスタ等の半導体スイッチング素子を含む双方向スイッチである。
【００２９】
＜無停電電源システムの動作＞
無停電電源システム１００と本発明の実施例に係る無停電電源システム２００の動作を、図２から図５を参照して説明する。
【００３０】
＜常用ＵＰＳがすべて健全であるとき＞
図２は、複数の常用ＵＰＳ１Ａ〜１Ｃが健全であり、商用電源２から負荷３に電力を供給している状態を示している。商用電源２から供給された交流電力は、コンバータ部１１、インバータ部１２により電力変換されて負荷３に供給される。このときバイパス入力切替回路４の機械式スイッチは、共通予備ＵＰＳ１Ｄ側（共通予備側端子４２）に閉路している。なお、常用ＵＰＳ１Ａ〜１Ｃの優先度は、常用ＵＰＳ１Ａ、常用ＵＰＳ１Ｂ、常用ＵＰＳ１Ｃの順に高いものとする。
【００３１】
＜常用ＵＰＳ１Ｂで異常発生したとき＞
図３は、常用ＵＰＳ１Ａ〜１Ｃのうち常用ＵＰＳ１Ｂの商用電源２Ｂに異常が発生した場合の負荷３へ電力供給の状態を示している。
【００３２】
常用ＵＰＳ１Ｂの商用電源２Ｂに異常が発生した場合、制御部５は常用ＵＰＳ１Ｂからの故障部位信号、バイパス給電信号を受信し、バイパススイッチ部１５Ｂにオン指令を、コンタクタ１７Ｂに開指令、共通予備ＵＰＳ１Ｄに電力供給の指令を出力する。
【００３３】
＜常用ＵＰＳ１Ｂの商用電源２Ｂの異常＞
商用電源２からの電圧が所定の閾値以下に達したことを、図示しない電圧検出部が検知すると、常用ＵＰＳ１Ｂの制御装置は、電圧検出部からの信号を受けて故障と判別するとともに制御部５に故障部位信号、バイパス給電信号を送信する。さらに常用ＵＰＳ１Ｂの制御装置は、バッテリ部１３Ｂからインバータ部１２Ｂを介して負荷に電力を供給するように制御する。
【００３４】
制御部５は、故障部位信号、バイパス給電信号を受信すると、バッテリ部１３Ｂから電力が供給されている間、バイパススイッチ部１５Ｂをオンにすべく、バイパス半導体スイッチ部１５１Ｂにオン指令を出力するとともに、コンタクタ１７Ｂを開路させるように制御する。制御部５は、コンタクタ１７Ｂが完全に開路した後、コンタクタ１５２Ｂを閉路し、バイパス半導体スイッチ部１５１Ｂにオフ指令を出力する。
【００３５】
＜常用ＵＰＳ１Ｂのインバータ部の異常＞
常用ＵＰＳ１Ｂのインバータ部１２Ｂに異常が発生した場合、インバータ部１２Ｂからの電圧が所定の閾値以下に達したことを、図示しない電圧検出部が検知する。次に常用ＵＰＳ１Ｂの制御装置は、電圧検出部からの信号を受けて故障と判別するとともに制御部５に故障部位信号、バイパス給電信号を送信する
【００３６】
制御部５は、故障部位信号、バイパス給電信号を受信すると、バイパススイッチ部１５Ｂをオンにすべく、バイパス半導体スイッチ部１５１Ｂにオン指令を出力するとともに、コンタクタ１７Ｂを開路させるように制御する。制御部５は、コンタクタ１７Ｂが完全に開路した後、コンタクタ１５２Ｂを閉路し、バイパス半導体スイッチ部１５１Ｂにオフ指令を出力する
【００３７】
このように無停電電源システム１００、無停電電源システム２００は複数の常用ＵＰＳのうち少なくとも１台に異常が発生した場合、共通予備ＵＰＳからの電力供給に無瞬断で切り替えることができる。このため無停電電源システムの信頼性を向上させることができる。
【００３８】
＜さらに常用ＵＰＳ１Ａが異常となったとき＞
図４は、図３の給電状態から常用ＵＰＳ１Ａ〜１Ｃの内でさらに常用ＵＰＳ１Ａに異常が発生した場合の負荷３へ電力供給の状態を示している。なお、共通予備ＵＰＳ１Ｄの容量は、常用ＵＰＳ１Ａ、１Ｂの容量の合計以上であるとする。また、常用ＵＰＳ１Ａの優先度は、常用ＵＰＳ１Ｂよりも高いものとする。
【００３９】
常用ＵＰＳ１Ａに異常が発生した場合、上述した常用ＵＰＳ１Ｂの入力電力が共通予備ＵＰＳ１Ｄからの電力供給に切り替わるのと同様の動作で常用ＵＰＳ１Ａの入力電力が共通予備ＵＰＳ１Ｄからの電力供給に切り替わる。
【００４０】
このように無停電電源システム１００、無停電電源システム２００は複数の常用ＵＰＳのうち少なくとも１台に異常が発生した場合、共通予備ＵＰＳからの電力供給に無瞬断で切り替えることができる。このため無停電電源システムの信頼性を向上させることができる。
【００４１】
＜さらに常用ＵＰＳ１Ａで異常発生したとき＞
図５は、図３の給電状態から常用ＵＰＳ１Ａ〜１Ｃのうちさらに常用ＵＰＳ１Ａに異常が発生した場合の負荷３へ電力供給の状態を示している。なお、共通予備ＵＰＳ１Ｄの容量は、常用ＵＰＳ１Ａ、１Ｂの容量より小さく、２台ともに電力を供給できないものとする。また、常用ＵＰＳ１Ａの優先度は、常用ＵＰＳ１Ｂよりも高いものとする。
【００４２】
常用ＵＰＳ１Ａのインバータ部１２Ａに異常が発生した場合、インバータ部１２Aからの電圧が所定の閾値以下に達したことを、図示しない電圧検出部が検知する。次に常用ＵＰＳ１Ａの制御装置は、電圧検出部からの信号を受けて故障と判別するとともに制御部５に故障部位信号、バイパス給電信号を送信する。
【００４３】
制御部５は、故障部位信号、バイパス給電信号を受信すると、バイパススイッチ部１５Ａをオンにすべく、バイパス半導体スイッチ部１５１Ａにオン指令を出力するとともに、コンタクタ１７Ａを開路させるように制御する。制御部５は、コンタクタ１７Ａが完全に開路した後、コンタクタ１５２Ａを閉路し、バイパス半導体スイッチ部１５１Ａにオフ指令を出力する。
【００４４】
制御部５は、さらに常用ＵＰＳ１Ａと常用ＵＰＳ１Ｂの状態信号により、それぞれに接続された負荷が必要な電力と共通予備ＵＰＳ１Ｄの容量を比較する。その結果、制御部５は常用ＵＰＳ１Ａと常用ＵＰＳ１Ｂの両方に電力を供給できないと判断する。次に制御部５は、常用ＵＰＳ１Ａと常用ＵＰＳ１Ｂのそれぞれの優先度を比較し、その結果に基づいて常用ＵＰＳ１Ａと常用ＵＰＳ１Ｂのいずれかに電力を供給するかを決定する。本実施形態では常用ＵＰＳ１Ａの優先度が高いため、制御部５は常用ＵＰＳ１Ａに共通予備ＵＰＳ１Ｄから電力を供給すると決定する。さらに制御部５は、バイパス入力切替部４Ｂを、共通予備ＵＰＳ１Ｄの出力から商用電源２Ｄの出力に切り替える。
【００４５】
具体的に図４の従来の無停電電源システム１００においては、制御部５は、バイパス入力切替部４Ｂの機械式スイッチ部を共通予備側端子４２から商用電源側端子４３に切り替えるための入力切替信号を出力する。このため従来の無停電電源システム１００においては、機械式スイッチの切替速度が半導体スイッチの切替速度よりも遅く、切替時に負荷への電力供給に瞬断が生じてしまう。
【００４６】
一方、図１の無停電電源システム２００においては、バイパス出力切替部４に、共通予備側半導体スイッチ部４１、商用電源側半導体スイッチ部４４を備えている。このため、バイパス出力切替部４Ｂが入力切替信号を受信すると、機械式スイッチを共通予備側端子４２Ｂから商用電源側端子４３Ｂに切り替えた後、商用電源側半導体スイッチ部４４Ｂを所定時間内にオンにする。所定時間では数ミリ秒程度で給電が瞬断してしまうが、例えば、電気規格調査会規格を元に決定し、負荷への影響を少なくできる。
【００４７】
この結果、共通予備ＵＰＳ１Ｄから常用ＵＰＳ１Ａに電力が供給され、常用ＵＰＳ１Ｂは、商用電源２Ｂからの電力をバイパス回路部１４Ｂを介して負荷３Ｂに供給する。
【００４８】
ここで、商用電源側半導体スイッチ部４４を機械式スイッチよりも先にオンする場合、共通予備ＵＰＳ１Ｄの出力電圧と商用電源２Ｂが同期していないと短絡が生じてしまう。しかしながら本実施形態のように機械式スイッチを先に切り替えることによって、共通予備ＵＰＳ１Ｄの出力電圧と商用電源２Ｂが同期していなくても無瞬断かつ短絡を生じることなく切替が可能となる。さらに常用ＵＰＳ１Ａ〜１Ｃの優先度に応じて切り替えることで、共通予備ＵＰＳ１Ｄからの電力を常用ＵＰＳ１Ａ〜１Ｃに適切に供給することができる。以上から、無停電電源システムの信頼性を向上させることができる。
【００４９】
なお、図４においては、常用ＵＰＳ１Ａ、１Ｂに必要な電力が共通予備ＵＰＳ１Ｄの容量を超えてしまった場合や共通予備ＵＰＳ１Ｄの異常により出力が低下してしまった場合がある。この場合、バイパス出力切替部４Ａ、４Ｂの不足電圧検出部４５Ａ、４５Ｂにて共通予備ＵＰＳ１Ｄから供給される電力が必要電力に不足していることが検出される。不足電圧検出部４５Ａ、４５Ｂは、制御部５に図示しない通信線により不足信号を出力する。制御部５は、不足電圧の検出の信号を受信した場合、常用ＵＰＳ１Ａ、１Ｂの優先度に応じて図５の上記説明と同様の動作をする。
【００５０】
この結果、常用ＵＰＳ１Ａ、１Ｂに必要な電力が共通予備ＵＰＳ１Ｄの容量を超えてしまった場合や共通予備ＵＰＳ１Ｄの異常により出力が低下してしまった場合においても、常用ＵＰＳ１Ａ〜１Ｃの優先度に応じて共通予備ＵＰＳ１Ｄからの電力を常用ＵＰＳ１Ａ〜１Ｃに適切に供給することができる。このため無停電電源システムの信頼性を向上させることができる。
【００５１】
図６は、本発明の実施形態による無停電電源システム３００の構成を示している。無停電電源システム３００は、無停電電源システム２００と同様に商用電源２から負荷３へ電力を供給する複数の常用ＵＰＳ１Ａ〜１Ｃ、該複数の常用ＵＰＳの各々に対して予備電力を供給する共通予備ＵＰＳ１Ｄ、制御部５を備える。
【００５２】
常用ＵＰＳ１Ａ〜１Ｃは、コンバータ部１１、インバータ部１２、バッテリ部１３、バイパス回路部１４、コンタクタ１６、コンタクタ１７を備える。常用ＵＰＳ１Ａ〜１Ｃは、電力を供給する負荷３の重要度に応じて優先度が予め設定されていてもよい。なお、無停電電源システム２００における常用ＵＰＳ１Ａ〜１Ｃと比較して、バイパススイッチ部１５を設けておらず、バイパススイッチ部１５のバイパス半導体スイッチ部１５１と機械式スイッチであるコンタクタ１５２の機能をバイパス出力切替部４内の機械式スイッチ部と商用電源側半導体スイッチ部４４に含ませた構成となっている。
【００５３】
この結果、常用ＵＰＳ１Ａ〜１Ｃの内部に設けていたバイパススイッチ部１５をなくすことができるため、部品点数の削減、信頼性を向上させることができる。
【００５４】
以上、本発明を実施形態に沿って説明したが、本発明の技術的範囲は上記実施の形態に記載の範囲には限定されない。上記実施形態に、変更または改良を加えることが可能であることは当業者には明らかである。
【符号の説明】
【００５５】
１Ａ、１Ｂ、１Ｃ、  常用無停電電源装置
１Ｄ、共通予備無停電電源装置
１１Ａ、１１Ｂ、１１Ｃ、１１Ｄ、  コンバータ部
１２Ａ、１２Ｂ、１２Ｃ、１２Ｄ、  インバータ部
１３Ａ、１３Ｂ、１３Ｃ、１３Ｄ、  バッテリ部
１４Ａ、１４Ｂ、１４Ｃ、１４Ｄ、  バイパス回路部
１５Ａ、１５Ｂ、１５Ｃ、１５Ｄ、  バイパススイッチ部
１５１Ａ、１５１Ｂ、１５１Ｃ、１５Ｄ１、  バイパス半導体スイッチ部
１５２Ａ、１５２Ｂ、１５２Ｃ、１５Ｄ２、  コンタクタ
１６Ａ、１６Ｂ、１６Ｃ、１６Ｄ、  コンタクタ
１７Ａ、１７Ｂ、１７Ｃ、１７Ｄ、  コンタクタ
１８Ａ、１８Ｂ、１８Ｃ、１８Ｄ、  コンバータ入力端子
１９Ａ、１９Ｂ、１９Ｃ、１９Ｄ、  出力端子
２０Ａ、２０Ｂ、２０Ｃ、２０Ｄ、  バイパス入力端子
２Ａ、２Ｂ、２Ｃ、２Ｄ、  商用電源
３Ａ、３Ｂ、３Ｃ、３Ｄ、  負荷
４Ａ、４Ｂ、４Ｃ、４Ｄ、  バイパス入力切替部
４１Ａ、４１Ｂ、４１Ｃ、  共通予備側半導体スイッチ部
４２Ａ、４２Ｂ、４２Ｃ、  共通予備側端子
４３Ａ、４３Ｂ、４３Ｃ、  商用電源側端子
４４Ａ、４４Ｂ、４４Ｃ、  商用電源側半導体スイッチ部
４５Ａ、４５Ｂ、４５Ｃ、  不足電圧検出部
５、制御部
１００、２００、３００、  無停電電源システム
【図１】
2020039236.tif 000003
【図２】
2020039236.tif 000004
【図３】
2020039236.tif 000005
【図４】
2020039236.tif 000006
【図５】
2020039236.tif 000007
【図６】
2020039236.tif 000008
【図７】
2020039236.tif 000009